(57)【特許請求の範囲】
【請求項１】
少なくとも１種の基油と、
少なくとも１種の粘度指数向上ポリマーと、
ブチレンオキシド：プロピレンオキシドの質量比が３：１〜１：３となる、ブチレンオキシドとプロピレンオキシドとのコポリマーからなり、下記の一般式（Ａ）で表される少なくとも１種のポリアルキレングリコールと、
を含むエンジン用の潤滑剤組成物であって、
前記ポリアルキレングリコールを、該潤滑剤組成物の総質量に対し、質量％で、２〜２０％含有する、エンジン用潤滑剤組成物。
【化１】
0006306570.tif 000014
［式中、Ｙ１およびＹ２は、互いに独立して、水素原子または炭素数１〜３０のアルキル基であり、ｎは、２以上の整数であり、ｘは、少なくとも１個の、１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。］
【請求項２】
請求項１に記載の潤滑剤組成物において、ポリアルキレングリコールの分子量が、ＡＳＴＭ  Ｄ４２７４規格に準拠した測定値で、３００〜１，０００ｇ／モルである、潤滑剤組成物。
【請求項３】
請求項１または２に記載の潤滑剤組成物において、ポリアルキレングリコールの１００℃における動粘度が、ＡＳＴＭ  Ｄ４４５規格に準拠した測定値で、１〜１２ｃＳｔである、潤滑剤組成物。
【請求項４】
請求項１から３のいずれか一項に記載の潤滑剤組成物において、ポリアルキレングリコールを、該潤滑剤組成物の総質量に対し、質量％で、３〜１５％含有する、エンジン用潤滑剤組成物。
【請求項５】
請求項１から４のいずれか一項に記載の潤滑剤組成物において、粘度指数向上ポリマーが、オレフィンコポリマー、エチレン／αオレフィンコポリマー、スチレン／オレフィンコポリマーおよびポリアクリレートの各単体または２種以上の混合物から選択される、エ潤滑剤組成物。
【請求項６】
請求項１から５のいずれか一項に記載の潤滑剤組成物において、粘度指数向上ポリマーを、該潤滑剤組成物の総質量に対し、質量％で、１〜１５％含有する、潤滑剤組成物。
【請求項７】
請求項１から６のいずれか一項に記載の潤滑剤組成物において、該潤滑剤組成物が、さらに、耐摩耗剤、清浄剤、分散剤、酸化防止剤および摩擦調整剤からなる群から選択される少なくとも１種の添加剤を含む、潤滑剤組成物。
【請求項８】
請求項１から７のいずれか一項に記載の潤滑剤組成物において、該潤滑剤組成物が、該潤滑剤組成物の総質量に対し、質量％で、
４０〜８０％の基油と、
ブチレンオキシド：プロピレンオキシドの質量比が３：１〜１：３となる、ブチレンオキシドとプロピレンオキシドとのコポリマーからなり、下記の一般式（Ａ）で表されるポリアルキレングリコールを２〜２０％と、
【化２】
0006306570.tif 000015
［式中、Ｙ１およびＹ２は、互いに独立して、水素原子または炭素数１〜３０のアルキル基であり、ｎは、２以上の整数であり、ｘは、少なくとも１個の、１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。］、
１〜１５％の粘度指数向上ポリマーと、
１〜１５％の、耐摩耗剤、清浄剤、分散剤、酸化防止剤および摩擦調整剤の各単体または２種以上の混合物から選択される添加剤と、
から構成され、これら構成成分の合計が１００％になる、潤滑剤組成物。
【請求項９】
請求項１から８のいずれか一項に記載のエンジン用潤滑剤組成物の使用であって、軽量車両のエンジンまたは重量車両のエンジンを潤滑するための使用。
【発明の詳細な説明】
【技術分野】
【０００１】
本発明は、エンジン、特に、ガソリン車両のエンジンまたはディーゼル車両のエンジンに使用される潤滑剤組成物に関し、その使用により、これらの車両の良好なエンジン清浄性と燃料消費の減少とを同時に実現することが可能な潤滑剤組成物に関する。
【背景技術】
【０００２】
自動車エンジンのエネルギー効率や燃料消費低減に対する関心が高まっている。この点に関しては、車両に使用されるエンジン用潤滑剤が重要な役割を果たすことが知られている。
【０００３】
「燃料エコ」な潤滑剤、すなわち、低燃費潤滑剤を処方するために、潤滑剤基油の粘度を工夫することが知られている。また、粘度指数（ＶＩ）向上ポリマーや摩擦調整剤（ＦＭ）を配合することも知られている。しかし、粘度指数向上ポリマーには、潤滑剤組成物のエンジン清浄化力を低下させるという短所がある。今日のエンジンは熱負荷が大きいので、大量のデポジット現象が起きる。デポジットは、燃焼室近傍に位置し、高温となる部品において、潤滑剤が化学的に変換することに起因して生じる。
【０００４】
そのため、少なくとも１種の粘度指数向上ポリマーを含み、ガソリン車両またはディーゼル車両の良好なエンジン清浄性をもたらすと共に燃料消費を抑えることも可能な潤滑剤が所望されている。
【０００５】
本発明は、新規の添加剤化合物を潤滑剤組成物に配合することにより、エンジン清浄性に関して良好な特性を有する潤滑剤組成物の処方を可能とすることを目的とする。この目的は、少なくとも１種のブチレンオキシドを含む炭素数３〜８のアルキレンオキシド類を単独重合又は共重合させることによって得られる少なくとも１種のポリアルキレングリコールを、潤滑剤組成物中に配合することにより達成される。本出願人は、そのようなポリアルキレングリコールを添加剤として配合することにより、驚くべきことに、エンジン清浄性に関して良好な性質を備えた潤滑剤組成物が得られることを見出した。
【０００６】
本発明はまた、良好なエンジン清浄性を備えると共に良好な「燃料エコ」特性も有する潤滑剤組成物を処方することを目的とする。
【０００７】
この目的は、エンジン用、特に、ガソリンエンジンまたはディーゼルエンジン用の潤滑剤組成物として、少なくとも１種のブチレンオキシドを含むアルキレンオキシド類を単独重合又は共重合させることによって得られるポリアルキレングリコールと、少なくとも１種の粘度指数向上ポリマーとの特定の組合せを含む潤滑剤組成物を用いることにより達成される。
【０００８】
プロピレンオキシドとブチレンオキシドとのコポリマーは、特許文献１から知られている。プロピレンオキシドとブチレンオキシドとのコポリマーは、潤滑剤の処方に用いられるグループ１〜４の基油に対して可溶性を示す。
【０００９】
特許文献２には、デポジット形成傾向が低いエンジンオイル組成物が記載されており、この組成物は、少なくとも１種の基油と、下記の式（Ｉ）で表される少なくとも１種のアルキルアルコキシレートとを含むものである。
【００１０】
【化１】
0006306570.tif 000002
【００１１】
（式中、Ｒ１、Ｒ２およびＲ３は、互いに独立して、水素原子または炭素数４０以下の炭化水素基であり、Ｒ４は、水素原子、メチル基またはエチル基であり、Ｌはリンカー基であり、ｎは４〜４０の整数であり、Ａは、エチレンオキシドおよび／またはプロピレンオキシドおよび／またはブチレンオキシドから誘導された２〜２５個の繰返し単位を有し且つ該繰返し単位の単独重合部または該繰返し単位のうちの少なくとも２種類によるランダム共重合部を含むアルコキシ基であり、ｚは１または２である。）
【００１２】
しかし、特許文献２には、ブチレンオキシドとプロプレンオキシドとのコポリマーであり且つブチレンオキシドとプロピレンオキシドの質量比を本発明の数値範囲内とした少なくとも１種のポリアルキレングリコールを含む潤滑剤組成物は開示されていない。さらに、特許文献２には、ガソリンまたはディーゼル燃料の消費を増やすことなくエンジン清浄性を向上させるために、特定のポリアルキレングリコールを使用することも記載されていない。
【００１３】
特許文献３には、自動車エンジンのピストン清浄性を向上させるために、少なくとも１種の基油と、少なくとも１種の粘度指数向上ポリマーと、フェノール類又はビスフェノールＡ及び少なくとも１種のブチレンオキシド又はブチレン／プロピレンオキシドの少なくとも１種の反応生成物とを含む、エンジンオイルが開示されている。しかし、特許文献３には、本発明にかかる潤滑剤組成物は開示されていない。また、特許文献３には、エンジン清浄性を向上させると共に燃料消費を減少させるために、本発明において定義されるポリアルキレングリコールを潤滑剤組成物中において使用することも開示されていない。
【００１４】
良好な「燃料エコ」特性と良好な清浄性とを同時に得るには、潤滑剤組成物中のポリアルキレングリコールの量を、その潤滑剤組成物の総質量に対し、質量％で、１％以上３０％未満に設定する必要がある。
【先行技術文献】
【特許文献】
【００１５】
【特許文献１】国際公開第２０１１／０１１６５６号
【特許文献２】米国特許第６４５８７５０号明細書
【特許文献３】欧州特許出願公開第０４３８７０９号明細書
【発明の概要】
【課題を解決するための手段】
【００１６】
本発明は、エンジン用潤滑剤組成物であって、少なくとも１種の基油と、少なくとも１種の粘度指数向上ポリマーと、少なくとも１種のブチレンオキシドを含む炭素数３〜８のアルキレンオキシド類を単独重合又は共重合させることによって得られる少なくとも１種のポリアルキレングリコールとを含み、前記ポリアルキレングリコールの含有量が、該潤滑剤組成物の総質量に対し、質量％で、１〜２８％である、エンジン用潤滑剤組成物に関する。
【００１７】
好ましくは、ポリアルキレングリコールは、ブチレンオキシドとプロピレンオキシドとのコポリマーである。
【００１８】
好ましくは、ブチレンオキシドとプロピレンオキシドの質量比は３：１〜１：３、より好ましくは３：１〜１：１である。
【００１９】
好ましくは、ポリアルキレングリコールの分子量は、ＡＳＴＭ  Ｄ４２７４規格に準拠した測定値で、３００〜１０００ｇ／モル、より好ましくは５００〜７５０ｇ／モルである。
【００２０】
好ましくは、ポリアルキレングリコールの１００℃における動粘度は、ＡＳＴＭ  Ｄ４４５規格に準拠した測定値で、１〜１２ｃＳｔ、より好ましくは３〜７ｃＳｔ、さらに好ましくは３．５〜６．５ｃＳｔである。
【００２１】
好ましくは、前記潤滑剤組成物は、ポリアルキレングリコールを、該潤滑剤組成物の総質量に対し、質量％で、２〜２０％、より好ましくは３〜１５％、さらに好ましくは５〜１２％、なおいっそう好ましくは６〜１０％含有する。
【００２２】
好ましくは、粘度指数向上ポリマーは、オレフィンコポリマー、エチレン／αオレフィンコポリマー、スチレン／オレフィンコポリマーおよびポリアクリレートから選択される各単体または２種以上の混合物である。
【００２３】
好ましくは、前記潤滑剤組成物は、粘度指数向上ポリマーを、該潤滑剤組成物の総質量に対し、質量％で、１〜１５％、より好ましくは２〜１０％、さらに好ましくは３〜８％含有する。
【００２４】
好ましくは、前記潤滑剤組成物は、さらに、耐摩耗剤、清浄剤、分散剤、酸化防止剤および摩擦調整剤からなる群から選択される少なくとも１種の添加剤を含む。
【００２５】
一実施形態において、前記潤滑剤組成物は、該潤滑剤組成物の総質量に対し、質量％で、
４０〜８０％の基油と、
少なくとも１種のブチレンオキシドを含む炭素数３〜８のアルキレンオキシド類を単独重合又は共重合させることによって得られるポリアルキレングリコールを１〜２８％と、
１〜１５％の粘度指数向上ポリマーと、
１〜１５％の、耐摩耗剤、清浄剤、分散剤、酸化防止剤および摩擦調整剤の各単体または２種以上の混合物から選択される添加剤と、
から構成され、これら構成成分の合計が１００％になる、組成物である。
【００２６】
本発明は、さらに、前述のように定義された潤滑剤組成物の、軽量車両のエンジンまたは重量車両のエンジン、好ましくはガソリン軽量車両のエンジンまたはディーゼル軽量車両のエンジンを潤滑するための使用に関する。
【００２７】
本発明は、さらに、潤滑剤組成物中における、少なくとも１種のブチレンオキシドを含む炭素数３〜８のアルキレンオキシド類を単独重合又は共重合させることによって得られる少なくとも１種のポリアルキレングリコールの、ガソリンまたはディーゼル燃料の消費を増やすことなくエンジン清浄性を向上させるための使用に関し、好ましくはガソリンまたはディーゼル燃料の消費を減少させることによってエンジン清浄性を向上させるための使用に関する。
【００２８】
好ましくは、前記使用は、エンジン清浄性、特にピストン清浄性を向上させるための使用である。
【００２９】
本発明の他の主題は、エンジンの少なくとも１つの機械部品を潤滑する方法であって、少なくとも１種の前記潤滑剤組成物を該機械部品と接触させる過程を少なくとも含む、エンジンの機械部品の潤滑方法である。
【００３０】
本発明において、エンジン清浄性を向上させるとは、デポジット形成を減少させること、特に、エンジン部品（例えば、ピストンリング溝の底やターボチャージャーのシャフト等）の高温表面上に形成される、光沢模様（vernis）、ラッカリング（laques）、カーボン堆積物、コーク堆積物等の、高温でのデポジット形成を減少させることを意味する。潤滑剤組成物の分子は、エンジンの高温表面に接触すると酸化され、不溶物を生じてデポジットを形成する。このようなデポジットがエンジンの動きを妨げることにより、例えば、摩耗や焼付きの問題、ピストンリングの動作不良（gommage）の問題、ターボチャージャーの回転における問題などが発生する。一般的には、エンジン清浄性を向上させるために清浄剤系の添加剤を利用する。本出願人は、エンジン清浄性を向上させるために他の種類の添加剤を利用することを提案する。本発明にかかる潤滑剤組成物は、エンジン清浄性の問題、特に、前述したようなデポジット形成の問題を解消することができる。
【発明を実施するための形態】
【００３１】
（ポリアルキレングリコール）
本発明にかかる組成物中において使用されるポリアルキレングリコールは、エンジンオイル中で使用するのに適した特性を備えている。このようなポリアルキレングリコールは、アルキレンオキシド類によるポリマーおよび／または（ランダムおよび／またはブロック）コポリマーであり、例えば国際公報第２００９／１３４７１６号の第２頁第２６行〜第４頁第１２行に記載される既知の方法のように、アルキレンオキシドのエポキシ結合をアルコール系開始剤で攻撃して生長反応を進行させることにより調製することができる。
【００３２】
本発明にかかる組成物のポリアルキレングリコール（ＰＡＧ）は、以下の一般式（Ａ）で表される：
【００３３】
【化２】
0006306570.tif 000003
【００３４】
式中、Ｙ１およびＹ２は、互いに独立して、水素原子または炭素数１〜３０の炭化水素基（例えば炭素数１〜３０のアルキル基、アルキルフェニル基など）であり、ｎは、２以上の整数（好ましくは６０未満の整数、より好ましくは５〜３０の整数、さらに好ましくは７〜１５の整数）であり、ｘは、１〜ｎの、少なくとも１個の整数であり、Ｒ２ｘ−１基およびＲ２ｘ基は、互いに独立して、水素原子または炭素数１〜６の炭化水素基（好ましくは炭素数１〜６のアルキル基）である。
【００３５】
好ましくは、Ｒ２ｘ−１基およびＲ２ｘ基は、直鎖状基である。
【００３６】
好ましくは、Ｒ２ｘ−１基およびＲ２ｘ基の少なくとも一方は、水素原子である。
【００３７】
好ましくは、Ｒ２ｘ基が、水素原子である。
【００３８】
Ｒ２ｘ−１基の炭素数とＲ２ｘ基の炭素数との合計は１〜６であってもよい。
【００３９】
少なくとも１個のｘにつき、Ｒ２ｘ−１基の炭素数とＲ２ｘ基の炭素数との合計は２であってもよい。これに対応するアルキレンオキシドモノマーはブチレンオキシドである。
【００４０】
本発明にかかる組成物中のＰＡＧの調製に用いられるアルキレンオキシドの炭素数は３〜８である。このＰＡＧの構造内に組み込まれるアルキレンオキシドの少なくとも一個はブチレンオキシドであり、該ブチレンオキシドは１，２−ブチレンオキシドおよび／または２，３−ブチレンオキシドであり、好ましくは１，２−ブチレンオキシドである。
【００４１】
実際、エチレンオキシドを一部に又は全体に用いて調製されたＰＡＧでは、エンジンオイル処方物中で用いる上で十分な親油性を備えていない。具体的に述べると、そのようなＰＡＧは、鉱物基油や合成基油や天然基油と組み合わせて使用することができない。
【００４２】
また、炭素数９以上のアルキレンオキシドは、エンジン用途を目的とした分子量および粘度グレードを有する基剤の調製に用いるには望ましくない。これを用いると、モノマーの数が減り（前述した式（Ａ）中のｎが減り）、さらに、Ｒ２ｘ−１側鎖およびＲ２ｘ側鎖が長くなる。このような場合、ＰＡＧ分子全体の線形的性質が損なわれてしまい、エンジンオイル用途としては粘度指数（ＶＩ）が低くなり過ぎてしまう。
【００４３】
好ましくは、ポリアルキレングリコールは、ブチレンオキシドとプロピレンオキシドとのコポリマーであり、かつ、ブチレンオキシド：プロピレンオキシドの質量比が３：１〜１：３（より好ましくは３：１〜１：１）であり、さらに、下記の一般式（Ａ）で表されるポリアルキレングリコールである。
【００４４】
【化３】
0006306570.tif 000004
【００４５】
式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、１〜ｎの、少なくとも１個の整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計は２である。
【００４６】
好ましくは、本発明にかかるＰＡＧの粘度指数ＶＩは、（ＮＦＴ  ６０１３６規格に準拠した測定値で）１００以上、より好ましくは１２０以上である。
【００４７】
本発明にかかるＰＡＧは、該ＰＡＧに十分な親油性、したがって、合成基油や鉱物基油や天然基油に対する良好な溶解性、さらに、エンジンオイルに必要不可欠な特定の添加剤との良好な相溶性を付与するために、少なくとも１種のブチレンオキシドを含むアルキレンオキシド類から得られたものとされる。
【００４８】
特に好ましいＰＡＧは、ブチレンオキシド（ＢＯ）とプロピレンオキシド（ＰＯ）とのコポリマーである。なぜなら、そのようなコポリマーは、エチレンオキシド単位を含むＰＡＧやポリプロピレンが示す優れたトライボロジー特性及びレオロジー特性の両方を備えているだけでなく、一般的な鉱物基油や合成基油や天然基油やその他の油性化合物に対する良好な溶解性も具備しているからである。
【００４９】
特許文献１の段落［００１１］〜［００１４］には、そのようなブチレンオキシドとプロピレンオキシドとのＰＡＧコポリマーの調製方法、性質および特性（特に、基油に対する溶解性及び混和性）が記載されている。
【００５０】
そのようなＰＡＧは、少なくとも１種のアルコールをブチレンオキシドとプロピレンオキシドとの混合物と反応させることによって調製することができる。
【００５１】
本発明にかかる組成物中において使用されるＰＡＧにおいては、好ましくは、鉱物基油や合成基油や天然基油に対する優れた可溶性及び優れた混和性を該ＰＡＧに付与するために、ブチレンオキシド：プロピレンオキシドの質量比を３：１〜１：３としたブチレンオキシドとプロピレンオキシドとの混合物を用いてＰＡＧを調整することが好ましい。なかでも、ブチレンオキシド：プロピレンオキシドの質量比を３：１〜１：１とした混合物を用いて調製されたＰＡＧが、グループ４の合成基油（ポリαオレフィン）も含め、基油に対して極めて優れた混和性及び溶解性を示す。
【００５２】
好ましい一実施形態において、本発明にかかる組成物中のＰＡＧは、炭素数８〜１２のアルコールを用いて調製されたものである。２−エチルヘキサノールおよびドデカノールの各単体または混合物の使用がさらに好ましく、なかでも、ドデカノール単体の使用が特に好ましい。なぜなら、そのようなアルコールを用いて調製されたＰＡＧは、トラクション係数が極めて低いからである。
【００５３】
好ましい一実施形態において、本発明にかかるＰＡＧは、炭素：酸素のモル比が３：１以上、より好ましくは３：１〜６：１である。このようなＰＡＧは、エンジンオイル用途に特に適した極性及び粘度指数特性を備えている。
【００５４】
好ましくは、本発明にかかるＰＡＧのＡＳＴＭ  Ｄ２５０２規格に基づく分子量は、３００〜１０００ｇ／モル、より好ましくは３５０〜６００ｇ／モルである（これが、前述した式（Ａ）中のアルキレンオキシド単位ｎの数に制限を設ける理由である）。
【００５５】
好ましくは、本発明にかかるＰＡＧのＡＳＴＭ  Ｄ４２７４規格に基づく分子量は、３００〜１０００ｇ／モル、より好ましくは５００〜７５０ｇ／モルである。
【００５６】
このようなＰＡＧは、１００℃における動粘度（ＫＶ１００）が、一般的に１〜１２ｃＳｔとなり、好ましくは３〜７ｃＳｔとなり、より好ましくは３．５〜６．５ｃＳｔ、４〜６ｃＳｔまたは３．５〜４．５ｃＳｔとなる。前記組成物のＫＶ１００は、ＡＳＴＭ  Ｄ４４５規格に準拠した測定値で表す。
【００５７】
好ましくは、ＳＡＥＪ３００分類で低温グレードが５Ｗまたは０Ｗとなるマルチグレードオイルを容易に処方できるように、軽質ＰＡＧ（ＫＶ１００が約２〜約６．５ｃＳｔであるＰＡＧ）が使用される。なぜなら、重質ＰＡＧでは、その低温特性（高いＣＣＳ）により、そのようなグレードを容易に達成することができないからである。
【００５８】
（潤滑剤組成物）
本発明の他の主題は、エンジン用の潤滑剤組成物、特に、ガソリンエンジン用またはディーゼルエンジン用の潤滑剤組成物であって、少なくとも１種の基油と、少なくとも１種の粘度指数向上ポリマーと、少なくとも１種の前述のように定義されるポリアルキレングリコールとを含み、該ポリアルキレングリコールの含有量が、該潤滑剤組成物の総質量に対し、質量％で、１〜２８％となる、エンジン用潤滑剤組成物である。ポリアルキレングリコールの含有量が１質量％未満の場合には、燃料節約およびエンジン清浄性に関して有意な効果を得ることができない。同様に、ポリアルキレングリコールの含有量が３０質量％以上の場合にも、燃料節約およびエンジン清浄性に関して有意な効果を得ることができない。ポリアルキレングリコールの含有量が３０質量％以上になると、「燃料エコ」効果が顕著でなくなるか、あるいは、その効果が低下する。
【００５９】
好ましくは、本発明にかかる潤滑剤組成物は、前記ポリアルキレングリコールを、該潤滑剤組成物の総質量に対し、質量％で、２〜２０％含有し、より好ましくは３〜１５％、さらに好ましくは５〜１２％、なおいっそう好ましくは６〜１０％含有する。燃料エコ特性およびエンジン清浄性の面で、最適な含有量は約８質量％である。
【００６０】
好ましくは、本発明にかかる潤滑剤組成物は、該潤滑剤組成物の総質量に対し、質量％で、
４０〜８０％の基油と、
ブチレンオキシド：プロピレンオキシドの質量比が３：１〜１：３（好ましくは３：１〜１：１）となる、ブチレンオキシドとプロピレンオキシドとのコポリマーからなり、下記の一般式（Ａ）で表されるポリアルキレングリコールを１〜２８％と、
１〜１５％の粘度指数向上ポリマーと、
１〜１５％の耐摩耗剤、清浄剤、分散剤、酸化防止剤および摩擦調整剤の各単体または２種以上の混合物から選択される添加剤、
とから構成され、これら構成成分の合計が１００％になる、潤滑油組成物である。
【００６１】
【化４】
0006306570.tif 000005
【００６２】
式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、少なくとも１個の１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。
【００６３】
（粘度指数向上ポリマー）
本発明にかかる組成物中において使用されるポリマー剤は、粘度指数向上ポリマーである。粘度指数向上ポリマーは、当業者にとって周知のポリマーであり、エチレンとαオレフィンとのコポリマー、ポリメタクリレートなどのポリアクリレート、オレフィンコポリマー（ＯＣＰ）、エチレンとプロピレンとジエンとのコポリマー［エチレンプロピレンジエンモノマーの重合体（ＥＰＤＭ）］、ポリブテン、スチレンとオレフィンとのコポリマー（水添コポリマー及び／又は非水添コポリマー）、ならびにスチレンとアクリレートとのコポリマーからなる群から選択される。
【００６４】
好ましくは、前記オレフィンコポリマーは、エチレンとプロピレンとのコポリマーである。この場合のコポリマーは、エチレンを、該コポリマーの総質量に対し、質量％で、２０〜８０％有していてもよく、好ましくは３０〜７０％、より好ましくは約５０％有している。
【００６５】
好ましくは、前記ポリアクリレートは、線形又はくし形で、官能性又は非官能性の、ポリメタクリレートである。官能性のポリメタクリレートは、分散型ポリメタクリレート（ＰＡＭＡｄ）とも称される。分散型ポリメタクリレートとは、例えばビニルピロリドン系単位などがグラフト結合しているか又はそのような単位を官能基として有するポリメタクリレートのことを言う。
【００６６】
好ましくは、スチレンとオレフィンとの前記コポリマーは、スチレンとブタジエンとのコポリマー（水添コポリマー及び／又は非水添コポリマー）またはスチレンとイソプレンとのコポリマー（水添コポリマー及び／又は非水添コポリマー）である。より好ましくは、そのようなコポリマーは、線形又は星形の、水添コポリマーである。
【００６７】
好ましくは、スチレンとイソプレンとの水添コポリマーが使用される。
【００６８】
好ましくは、スチレンとイソプレンとの水添コポリマーと、ポリメタクリレート（ＰＭＡ）との混合物が使用される。
【００６９】
好ましくは、スチレンとイソプレンとの水添コポリマー：ポリメタクリレートの質量比は３：１〜１：３であり、より好ましくは１：１である。
【００７０】
本発明にかかる潤滑剤組成物は、単体または２種以上の混合物の形態の粘度指数向上ポリマーを、該潤滑剤組成物の総質量に対し、質量％で、１〜１５％含有していてもよく、好ましくは２〜１０％、より好ましくは３〜８％含有する。
【００７１】
（基油）
本発明にかかる潤滑剤組成物は、前記ＰＡＧに加えて、少なくとも１種の基油を含み得る。そのような基油は、以下にまとめたＡＰＩ分類のグループ１〜５の鉱物由来および合成由来の基油（あるいは、ＡＴＩＥＬ分類の等価物）の、各単体または２種以上の混合物とされ得る。また、本発明にかかる潤滑剤組成物中において使用される基油は、ＡＴＩＥＬ分類のグループ６の合成由来の基油を少なくとも１種含んでいてもよい。
【００７２】
【表１】
0006306570.tif 000006
【００７３】
前記基油は、植物由来の基油であっても動物由来の基油であっても鉱物由来の基油（鉱物基油）であってもよい。本発明にかかる組成物中において使用され得る鉱物基油には、原油を常圧蒸留や減圧蒸留した後、溶剤抽出、脱アスファルト、溶剤脱ろう、水添処理、水素化分解・水素化異性化、水素化仕上げ等の精製工程に通すことによって得られるあらゆるタイプの基油が含まれ得る。
【００７４】
本発明にかかる組成物中において使用され得る基油は、合成由来の基油（合成基油）であってもよい。そのような合成基油の例としては、カルボン酸とアルコールとの特定のエステル、フィッシャートロプシュワックスの水素化異性化によって得られるＧＴＬ基油、ポリαオレフィン、などが挙げられる。ポリαオレフィンを基油として使用する場合、該ポリαオレフィンは、例えば、炭素数４〜３２のモノマー（例えば、オクテン、デセン等）に由来するものであり、かつ、１００℃における粘度が１．５〜１５ｃＳｔとなるものである。前記ポリαオレフィンは、その重量平均分子量が、典型的に２５０〜３０００である。
【００７５】
好ましくは、本発明にかかる潤滑剤組成物の１００℃における動粘度は、ＡＳＴＭ  Ｄ４４５規格に準拠した測定値で、５．６〜１６．３ｃＳｔ（ＳＡＥグレード２０、３０および４０）であり、より好ましくは９．３〜１２．５ｃＳｔ（ＳＡＥグレード３０）である。特に好ましい一実施形態において、本発明にかかる組成物は、ＳＡＥＪ３０００分類でのマルチグレードオイル（グレード５Ｗまたは０Ｗ）である。
【００７６】
好ましくは、本発明にかかる組成物の粘度指数（ＶＩ）は、（ＡＳＴＭ  Ｄ２２７０規格に準拠した測定値で）、１３０を超えており、より好ましくは１５０を超えており、さらに好ましくは１６０を超えている。
【００７７】
本発明にかかる潤滑剤組成物は、基油を、該潤滑剤組成物の総質量に対し、質量％で、４０〜８０％含有していてもよく、好ましくは５０〜７５％、より好ましくは６０〜７０％含有する。
【００７８】
（さらなる添加剤）
本発明にかかる潤滑剤組成物は、さらに、その用途に適した、特にエンジンオイルとしての用途、好ましくは自動車エンジン用のエンジンオイルとしての用途に適した、あらゆる種類の添加剤を含んでいてもよい。
【００７９】
そのような添加剤は、個別に添加されてもよいし、あるいは、例えばＡＣＥＡ（欧州自動車工業会）などが求める潤滑剤組成物の特定の性能レベルを確保するためのパッケージ添加剤の形態で添加されてもよい。なお、そのような添加剤の例を以下に述べるが、必ずしもこれらに限定されない。
例えば、コハク酸イミド類、ＰＩＢ（ポリイソブテン）コハク酸イミド類などのコハク酸イミド誘導体、マンニッヒ塩基などの分散剤は、エンジンオイルの使用時に発生する酸化副生成物で構成される不溶性の固体不純物を、懸濁状態に維持し、その除去を確実にする。
酸化防止剤は、使用中のオイルの劣化を遅らせて、オイルの劣化に起因するデポジットやスラッジの形成やオイルの粘度上昇を抑制する。酸化防止剤は、ラジカル抑制剤またはヒドロペルオキシ分解剤として作用する。よく使用される酸化防止剤としては、ヒンダードフェノール系酸化防止剤やヒンダードアミノ系酸化防止剤が挙げられる。他の種類の酸化防止剤として、油溶性の銅化合物、例えば、銅チオホスフェート類、銅ジチオホスフェート類、カルボン酸の銅塩、銅ジチオカルバメート類、銅スルホネート類、銅フェネート類、銅アセチルアセトネート類などが挙げられる。コハク酸またはコハク酸無水物の銅（Ｉ）塩および銅（ＩＩ）塩も使用され得る。
耐摩耗剤は、保護対象の摩擦面に吸着されることで保護膜を形成しその表面を保護する添加剤であり、含リン系、含硫黄系、含窒素系、含塩素系、含ホウ素系の化合物などといった様々な種類のものがある。
摩擦調整剤としては、例えば、ＭｏＤＴＣ、脂肪アミン、脂肪酸エステル、ポリオールなどの摩擦調整剤。挙げられ、一例として脂肪酸とグリセロールとのエステル、特に、グリセロールモノオレエートが挙げられる。
清浄剤としては、典型的に、スルホネート類、サリチレート類、ナフテネート類、フェネート類、過塩基性カルボキシレート類、中性カルボキシレート類などがある。
その他にも消泡剤、曇り点降下剤、腐食抑制剤などが挙げられる。
【００８０】
本発明のさらなる他の主題は、エンジンの少なくとも１つの機械部品を潤滑する方法であって、少なくとも１種の前記潤滑剤組成物を該機械部品と接触させる過程を少なくとも含む、エンジンの機械部品の潤滑方法である。前記機械部品は、特に、ピストンである。
【００８１】
本発明にかかる方法により、前記車両の十分なエンジン清浄性と燃料消費の減少とを同時に実現することが可能である。
【００８２】
前記潤滑剤組成物について説明した全ての特徴及び好適な構成は、本発明にかかる潤滑方法にも適用できる。
【００８３】
本発明のさらなる他の主題は、ブチレンオキシド：プロピレンオキシドの質量比が３：１〜１：３（好ましくは３：１〜１：１）となる、ブチレンオキシドとプロピレンオキシドとのコポリマーからなり、下記の一般式（Ａ）で表される少なくとも１種のポリアルキレングリコールの、潤滑剤組成物中において、ガソリンまたはディーゼル燃料の消費を増やすことなくエンジン清浄性を有利に向上させるための使用、好ましくは、ガソリンまたはディーゼル燃料の消費を減少させることによってエンジン清浄性を有利に向上させるための使用に関する。
【００８４】
【化５】
0006306570.tif 000007
【００８５】
式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、１〜ｎの、少なくとも１個の整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。
【００８６】
前記潤滑剤組成物について説明した全ての特徴及び好適構成は、本発明にかかる少なくとも１種のＰＡＧの使用にも同様に適用できる。
【実施例】
【００８７】
（実施例１）
以下の材料を用いて、対照用の組成物Ｔ１、さらに、組成物Ｌ１と組成物Ｌ２とを調製した：
・基油（グループ３）の混合物；
・パッケージ添加剤（ＺｎＤＴＰ系耐摩耗剤、アミノ系酸化防止剤、フェノール系酸化防止剤、コハク酸イミド系分散剤およびサリチレート系清浄剤を含む）；
・モリブデンジチオカルバメート（ＭｏＤＴＣ）；
・星形の水添型スチレン／イソプレン（ＨＩＳ）粘度指数向上ポリマー［（ＡＳＴＭ  Ｄ５２９６規格に準拠した測定値で）Ｍｗが４９８７００で、（ＡＳＴＭ  Ｄ５２９６規格に準拠した測定値で）Ｍｎが３２５９００で、多分散度が１．５である］；
・ビニルピロリドン単位がグラフト結合したポリアルキルメタクリレート（ＰＡＭＡｄ）［（ＡＳＴＭ  Ｄ５２９６規格に準拠した測定値で）Ｍｗが２０６９００で、（ＡＳＴＭ  Ｄ５２９６規格に準拠した測定値で）Ｍｎが７５３２０で、多分散度が２．７である］；および
・ＢＯ／ＰＯ（ブチレンオキシド／プロピレンオキシド）ＰＡＧ［ＢＯ／ＰＯの質量比が５０／５０で、（ＡＳＴＭ  Ｄ４４５規格に準拠した測定値で）ＫＶ１００が６ｃＳｔで、（ＡＳＴＭ  Ｄ４２７４規格に準拠した測定値で）分子量が７５０ｇ／モルである］。
【００８８】
以下の表１に、各成分の割合を質量百分率（％）で表す。基油混合物と、粘度指数向上ポリマーの割合は、潤滑剤組成物Ｔ１、Ｌ１、Ｌ２がいずれも、グレード５Ｗ−３０に相当する粘度を示すように調整した。
【００８９】
【表２】
0006306570.tif 000008
【００９０】
次に、試験用エンジンＤＷ１０Ｃを稼働させて、潤滑剤組成物Ｔ１，Ｌ１，Ｌ２の「燃料エコ」ゲインを測定した。以下に、試験条件を説明する：
【００９１】
エンジン速度及び負荷条件を掃引しながら、燃料消費率（specific fuel consumption）を計測する。稼働速度は１０００〜２４００ｒｐｍの範囲で変化させる。エンジン負荷は１６〜１９０Ｎｍの範囲で変化させる。優れた計測再現性を確保するために、エンジンオイルおよび冷却液を、特定の温度（４５℃、６０℃および７５℃）で安定化させる。そして、各温度（point）で、試験対象の潤滑剤の燃料消費率を、５Ｗ−３０の参照オイルの燃料消費率と比較する。重み付け平均を用いることにより、参照オイルに対する試験対象の潤滑剤の総合ゲインを百分率で表すことができる。後述の表２に、グレード５Ｗ−３０の参照オイルに対する潤滑剤組成物Ｔ１、Ｌ１、Ｌ２のゲイン（燃料消費に関するゲイン）を百分率でまとめた。
【００９２】
エンジン清浄性についても、パネルコーキング試験（ＰＣＴ）を用いたラボ試験により測定した。以下に、試験条件を説明する。
【００９３】
試験対象の潤滑剤を、１ｍＬ／分の流量で、傾けて配置され、２８８℃に加熱された金属製プレート上に流す。具体的には、１００ｍＬの潤滑剤を、２４時間の試験期間にわたって、このプレートに対して閉回路構成で圧送し続ける。試験期間が終わると、そのプレートを溶剤で洗浄し、流動表面上に生じたワニス堆積物及びカーボン堆積物をＣＲＣ（研究調整評議会）評価法により評価する。この評価の結果を、そのプレートの清浄性状態に応じて０〜１０のスコアで表現する。
【００９４】
エンジン清浄性について、さらに、ピストン清浄性を計測するＣＥＣ  Ｌ−７８−９９方法に準拠したＴＤＩエンジン試験により測定した。
【００９５】
以下の表２には、潤滑剤組成物Ｔ１、Ｌ１、Ｌ２の清浄性試験結果も表す。
【００９６】
【表３】
0006306570.tif 000009
【００９７】
以上の結果から、潤滑剤組成物にＢＯ／ＰＯ（ＰＡＧ）を８％添加することにより、同じ粘度のままで且つ粘度指数向上ポリマーの含有量を減らしても、燃料消費に関するゲインおよび清浄性に関するゲインの両方を向上できることが分かる。潤滑剤組成物にＢＯ／ＰＯ（ＰＡＧ）を３０％添加した場合、エンジン清浄性を向上させることはできるが、燃料消費に関するゲインに変化はない。
【００９８】
（実施例２）
実施例１と同じ成分で、ただし、ポリアルキレングリコールについては別のものを用いて、対照用の組成物Ｔ２、さらに、組成物Ｃ１〜Ｃ４を調製した。本実施例で用いるポリアルキレングリコールは、ＢＯ／ＰＯの質量比が５０／５０で、（ＡＳＴＭ  Ｄ４４５規格に準拠した測定値で）ＫＶ１００が４ｃＳｔで、（ＡＳＴＭ  Ｄ４２７４規格に準拠した測定値で）分子量が５０５ｇ／モルのＢＯ／ＰＯ（ＰＡＧ）である。
【００９９】
後述の表３に、各成分の割合を質量百分率（％）で表す。基油混合物と粘度指数向上ポリマーの割合は、潤滑剤組成物Ｔ２、Ｃ１〜Ｃ４がいずれもグレード５Ｗ−３０に相当する粘度を示すように調節した。
【０１００】
試験用エンジンＤＷ１０Ｃを稼働させて、潤滑剤組成物Ｔ２、Ｃ１〜Ｃ４の「燃料エコ（ＦＥ）」ゲインを測定した。以下に、試験条件を説明する：
【０１０１】
ジェネレータによりこのエンジンを７５０〜３，０００ｒｐｍの回転速度で駆動させながら、エンジン部品の運動によって生じる摩擦トルクをトルクセンサにより計測する。優れた計測再現性を確保するために、エンジンオイルおよび冷却液を、特定の温度（３５℃、５０℃、８０℃および１１５℃）で安定化させる。そして、各速度及び各温度について、試験対象の潤滑剤を用いた場合の摩擦トルクを、グレード５Ｗ−３０の参照潤滑剤を用いた場合のトルクと比較する。このように各稼働温度で参照潤滑剤に対する試験対象の潤滑剤のゲインを算出し、これらの算出値を平均することにより、該潤滑剤の最終結果を得る。正のゲインは、エンジンでの摩擦が低下することを意味し、さらに、使用した潤滑剤により燃料消費を減少できることを意味する。
【０１０２】
【表４】
0006306570.tif 000010
【０１０３】
以上の結果から、潤滑剤組成物にＢＯ／ＰＯ（ＰＡＧ）を４％または８％添加することにより、燃料消費に関するその潤滑剤組成物のゲインを向上できることが分かる。潤滑剤組成物にＢＯ／ＰＯ（ＰＡＧ）をより多く、１５％または３０％添加した場合のゲインは、対照用の組成物のゲインとあまり変わらない。
なお、本発明は、実施の態様として以下の内容を含む。
〔態様１〕
少なくとも１種の基油と、
少なくとも１種の粘度指数向上ポリマーと、
ブチレンオキシド：プロピレンオキシドの質量比が３：１〜１：３（好ましくは３：１〜１：１）となる、ブチレンオキシドとプロピレンオキシドとのコポリマーからなり、下記の一般式（Ａ）で表される少なくとも１種のポリアルキレングリコールと、
を含むエンジン用の潤滑剤組成物であって、
前記ポリアルキレングリコールを、該潤滑剤組成物の総質量に対し、質量％で、２〜２０％含有する、エンジン用潤滑剤組成物。
【化６】
0006306570.tif 000011
［式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、少なくとも１個の、１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。］
〔態様２〕
態様１に記載の潤滑剤組成物において、ポリアルキレングリコールの分子量が、ＡＳＴＭ  Ｄ４２７４規格に準拠した測定値で、３００〜１，０００ｇ／モル（好ましくは５００〜７５０ｇ／モル）である、潤滑剤組成物。
〔態様３〕
態様１または２に記載の潤滑剤組成物において、ポリアルキレングリコールの１００℃における動粘度が、ＡＳＴＭ  Ｄ４４５規格に準拠した測定値で、１〜１２ｃＳｔ（好ましくは３〜７ｃＳｔ、より好ましくは３．５〜６．５ｃＳｔ）である、潤滑剤組成物。
〔態様４〕
態様１から３のいずれか一態様に記載の潤滑剤組成物において、ポリアルキレングリコールを、該潤滑剤組成物の総質量に対し、質量％で、３〜１５％（好ましくは５〜１２％、より好ましくは６〜１０％）含有する、エンジン用潤滑剤組成物。
〔態様５〕
態様１から４のいずれか一態様に記載の潤滑剤組成物において、粘度指数向上ポリマーが、オレフィンコポリマー、エチレン／αオレフィンコポリマー、スチレン／オレフィンコポリマーおよびポリアクリレートの各単体または２種以上の混合物から選択される、エ潤滑剤組成物。
〔態様６〕
態様１から５のいずれか一態様に記載の潤滑剤組成物において、粘度指数向上ポリマーを、該潤滑剤組成物の総質量に対し、質量％で、１〜１５％（好ましくは２〜１０％、より好ましくは３〜８％）含有する、潤滑剤組成物。
〔態様７〕
態様１から６のいずれか一態様に記載の潤滑剤組成物において、該潤滑剤組成物が、さらに、耐摩耗剤、清浄剤、分散剤、酸化防止剤および摩擦調整剤からなる群から選択される少なくとも１種の添加剤を含む、潤滑剤組成物。
〔態様８〕
態様１から７のいずれか一態様に記載の潤滑剤組成物において、該潤滑剤組成物が、該潤滑剤組成物の総質量に対し、質量％で、
４０〜８０％の基油と、
ブチレンオキシド：プロピレンオキシドの質量比が３：１〜１：３（好ましくは３：１〜１：１）となる、ブチレンオキシドとプロピレンオキシドとのコポリマーからなり、下記の一般式（Ａ）で表されるポリアルキレングリコールを２〜２０％と、
【化７】
0006306570.tif 000012
［式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、少なくとも１個の、１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。］、
１〜１５％の粘度指数向上ポリマーと、
１〜１５％の、耐摩耗剤、清浄剤、分散剤、酸化防止剤および摩擦調整剤の各単体または２種以上の混合物から選択される添加剤と、
から構成され、これら構成成分の合計が１００％になる、潤滑剤組成物。
〔態様９〕
態様１から８のいずれか一態様に記載のエンジン用潤滑剤組成物の使用であって、軽量車両のエンジンまたは重量車両のエンジン（好ましくはガソリン軽量車両のエンジンまたはディーゼル軽量車両のエンジン）を潤滑するための使用。
〔態様１０〕
ブチレンオキシド：プロピレンオキシドの質量比が３：１〜１：３（好ましくは３：１〜１：１）となる、ブチレンオキシドとプロピレンオキシドとのコポリマーからなり、下記の一般式（Ａ）で表される少なくとも１種のポリアルキレングリコールの、潤滑剤組成物中において、ガソリンまたはディーゼル燃料の消費を増やすことなくエンジン清浄性を向上させる（好ましくは、ガソリンまたはディーゼル燃料の消費を減少させることによってエンジン清浄性を向上させる）ための使用。
【化８】
0006306570.tif 000013
［式中、Ｙ１およびＹ２は、互いに独立して、水素原子または炭素数１〜３０のアルキル基であり、ｎは、２以上の整数（好ましくは６０未満の整数、より好ましくは５〜３０の整数、さらに好ましくは７〜１５の整数）であり、ｘは、少なくとも１個の１〜ｎの整数であり、Ｒ２ｘ−１基およびＲ２ｘ基は、互いに独立して、水素原子または炭素数１もしくは２の炭化水素基であり、少なくとも１個のｘにつき、Ｒ２ｘ−１基の炭素数とＲ２ｘ基の炭素数との合計が２である。］
〔態様１１〕
態様１０に記載の使用であって、エンジン清浄性（特に、ピストン清浄性）を向上させるための使用。